(57)【要約】【課題】自然な歩行時の運動態様を実現する足踏み式運動器具。【解決手段】  左右一対のステップ板２０を備えた足踏み式運動器具であって、該運動器具を支持する底台１０を備え、  前記ステップ板は、該底台にそれぞれの一端をピン結合されたメインスイングアーム２１及びサブスイングアーム２２のそれぞれ他端にピン結合されてリンク機構を構成し、弾発力を作用する油圧シリンダーからなるダンパー１６により支持することによりステップ板の踏み込み動作に対して反発力を作用させ、ステップ板の前、後及び上、下の往復スイング式ステップ運動を行うことを可能とする。【選択図】  図１
0003122707.tif 000002
【実用新案登録請求の範囲】
【請求項１】
左右一対のステップ板を備えた足踏み式運動器具であって、
該運動器具を支持する底台を備え、
前記ステップ板は、該底台にそれぞれの一端をピン結合されたメインスイングアーム及びサブスイングアームの他端にピン結合されてリンク機構を構成し、
弾発力を作用するダンパーにより支持することによりステップ板の踏み込み動作に対して反発力を作用させ、
ステップ板の前、後及び上、下の往復スイング式ステップ運動を行うことを可能としたことを特徴とする足踏み式運動器具のスイング式ステップ板の構造。
【請求項２】
前記ダンパーは油圧シリンダを備えたバーであることを特徴とする請求項１記載の足踏み式運動器具のスイング式ステップ板の構造。
【請求項３】
前記メインスイングアームの一端を底台の先端側にピン結合すると共に、メインスイングアームの他端をステップ板の先端にピン結合し、
前記サブスイングアームの一端を底台の中間にピン結合して、
ステップ板が往復スイング式ステップ運動を行う時の力を支持せしめるようにしたことを特徴とする請求項１記載の足踏み式運動器具のスイング式ステップ板の構造。
【請求項４】
前記ダンパーの一端を底台の末端側にピン結合すると共にダンパーの他端をサブスイングアームにピン結合することにより、ステップ板が踏み込まれた時にダンパーを連動して圧縮し、反発力を作用させるようにしたことを特徴とする請求項１記載の足踏み式運動器具のスイング式ステップ板の構造。
【請求項５】
前記底台の先端には水平に回動する連動バーを設けて、該連動バーを前記スイングアームと係合させることにより、一方のステップ板の踏み込み動作による上記リンク機構の動作に伴ない一方のメインスイングアームが前後移動すると他方のメインスイングアームが逆の移動動作を連動するようにしたことを特徴とする請求項１記載の足踏み式運動器具のスイング式ステップ板の構造。
【請求項６】
前記底台の一端には上方に延長したハンドルを設けて使用者が運動する時に身体を支えることができるようにしたことを特徴とする請求項１記載の足踏み式運動器具のスイング式ステップ板の構造。
【考案の詳細な説明】
【技術分野】
【０００１】
本考案は、従来の単調な往復運動を提供する足踏み式運動器具の構造と異なる一種の足踏み式運動器具装置の構造に関するものであり、特に一種のスイング式ステップ板に関するものである。
【背景技術】
【０００２】
現代において人々は大抵、運動を行う時間と空間が欠如している。それに対応して、各種の家庭内用の小型フィットネス器具が市販され、それにより使用者は少ない空き時間を利用して家の中で運動することが出来る。使用方法が簡単であり、使用年齢の幅も広く、価格も手ごろであり、さらに場所をとらないため、フィットネス器具の中でも足踏み式運動器具は最も人気がある。そのために足踏み式運動器具がビジネスチャンスを十分に備えていることも理由の一つとなり、生産、製造者側も徐々に足踏み式運動器具の機能を改良してなり、例えば歩数の記録機能を増設したり、人間工学的な設計を具えたりして、消費者の愛顧を獲得する。
従来の足踏み式運動器具は二つのステップ板を具えてなり、
該二つのステップ板の一端はピン結合されてなり、それぞれ両足に対応する。さらに使用者の両足による踏み込みによって上、下往復のステップ運動を提供することが可能である。この種類の構造は確かに身体を鍛え、カロリーを消耗する効果を提供することが出来るが、しかし該足踏み式運動器具の運動の過程はただ単に単調な上、下ステップの往復のみであり、前後スイングや位置が移動する往復運動が不足しているため、人間が歩行する時の自然な動作と異なり、運動による怪我が生じ易くなる。また、新しい物や変化を求める現代人にとって上、下に往復するだけのこのような運動方法はつまらなく、味気ない。そのため、大抵は一定時間使用した後に、足踏み式運動器具は片隅に置かれ、再び使用されることはない。
以上の例上からも分かるように、従来の足踏み式運動器具は身体を鍛えるという好ましい効果が有るとはいえ、人々が長期に渡って使用するような魅力に乏しい。そのため、さらに構造の改良を研究又は開発することにより、更に大衆が望む商品とする必要がある。
【特許文献１】特開２０００−９３５５２号公報
【考案の開示】
【考案が解決しようとする課題】
【０００３】
前述したように、公知の構造には以下のような欠点があった。
二つのステップ板を具えてなり、
該二つのステップ板の一端はピン結合されてなり、並びにそれぞれ足部に対応する。さらに使用者の両足による踏み込みによって上、下往復のステップ運動を提供することを可能とする公知の足踏み式運動器具は身体を鍛え、カロリーを消耗する効果を提供することが出来るが、足踏み式運動器具の運動の過程はただ単に単調な上、下ステップの往復のみであり、前後スイングや位置が移動する往復運動が不足しているため、人間が歩行する時の自然な動作と異なり、運動による怪我が生じ易くなる。
また、新しい物や変化を求める現代人にとって上、下を往復するだけのこのような運動方法はつまらなく味気ないため、大抵は一定時間使用した後に、足踏み式運動器具は片隅に置かれ、再び使用されることはない。
つまり、従来の足踏み式運動器具は身体を鍛えるという好ましい効果が有るとはいえ、人々が長期に渡って使用するような魅力が乏しい。
本考案は上記構造の問題点を解決した足踏み式運動器具のスイング式ステップ板の構造を提供するものである。
【課題を解決するための手段】
【０００４】
上記課題を解決するため、本考案は、下記の足踏み式運動器具のスイング式ステップ板の構造を提供する。
それは足踏み式運動器具装置の構造において、特に一種のスイング式ステップ板の構造部分の改良に係る。
即ち、一つの底台及び底台の両側にピン結合したステップ板からなり、
該ステップ板はダンパーに合わせてステップ運動の過程における力に対する反発の効果を提供することが可能であり、且つステップ板はメインスイングアーム及びサブスイングアームによって底台の上にピン結合されてなり、またメインスイングアーム及びサブスイングアームが同時にステップ板に支える効果を提供することにより、ステップ板が踏まれた時にアーチ型の軌道に沿って上昇すると高位置となり、さらに下降すると低位置となるようにスイングして移動する。その往復運動の動作は公知の単調な上、下往復式の足踏み式運動器具とは異なり、使用者により人体の自然な歩行状態に適合した運動の方法を提供することが出来、運動による怪我の可能性を減少し、運動の楽しみを増加させ、使用者に対してステップ運動に対する興味を高めることが可能となる。
また、安全性を高めるために、底台の先端に上に向って延伸してなるハンドルを設けることによって、使用者がうっかり平衡感覚を失い、転び落ちること等による運動における予想外の怪我の発生を回避するために、前記ハンドルは使用者が運動時において支える効果を提供することを特徴とする足踏み式運動器具のスイング式ステップ板の構造である。
【０００５】
即ち、請求項１の考案は、一対のステップ板及び一つの底台を含めてなる一つの足踏み式運動器具によって構成されてなり、
前記ステップ板は底台にピン結合されてなり、並びにダンパーによってステップ板は往復運動の際の力に対する反発の効果を提供されてなり、且つステップ板はメインスイングアーム及びサブスイングアームによって底台と連結されてなり、該メインスイングアーム及びサブスイングアームの両端はそれぞれ底台及びステップ板にピン結合されてなることにより、ステップ板は前、後及び上、下の往復スイング式ステップ運動を行うことが可能となることを特徴とする足踏み式運動器具のスイング式ステップ板の構造である。請求項２の考案は、前記ダンパーは油圧バーであることを特徴とする請求項１記載の足踏み式運動器具のスイング式ステップ板の構造である。請求項３の考案は、前記メインスイングアームの一端は底台の先端にピン結合してなり、さらにメインスイングアームのもう一端はステップ板の先端にピン結合してなり、前記サブスイングアームの一端は底台の中端にピン結合してなり、以上によりステップ板が往復スイング式ステップ運動を行う時の力を支える効果を提供することを特徴とする請求項１記載の足踏み式運動器具のスイング式ステップ板の構造である。請求項４の考案は、前記ダンパーの末端が底台の末端にピン結合してなり、さらにダンパーの先端はサブスイングアームの上にピン結合するために、ステップ板が踏まれた時にダンパーが連動して圧縮し、力に対して反発する効果を提供することができることを特徴とする請求項１記載の足踏み式運動器具のスイング式ステップ板の構造である。請求項５の考案は、前記底台の先端には連動バーを設けてなり、さらに連動バーはステップ板のメインスイングアームの底の部分と連動しているため、片側のステップ板が踏まれた時にもう一方のステップ板は連動バーの力を受けて元に位置に戻ることを特徴とする請求項１記載の足踏み式運動器具のスイング式ステップ板の構造である。請求項６の考案は、前記底台の先端は上に向って延伸してなるハンドルを設けることが出来、使用者が運動する時に身体を支えることができることを特徴とする請求項１記載の足踏み式運動器具のスイング式ステップ板の構造である。
【考案の効果】
【０００６】
上記のように、本考案によれば、一対のステップ板及び一つの底台を含めてなる一つの足踏み式運動器具によって構成されてなる本考案は、前記ステップ板が底台にピン結合されてなり、並びにダンパーによってステップ板は往復運動の際の力に対する反発効果を提供し、且つステップ板はメインスイングアーム及びサブスイングアームによって底台と連結されてなり、該メインスイングアーム及びサブスイングアームの両端はそれぞれ底台及びステップ板にピン結合されてなることにより、ステップ板は前、後及び上、下の往復スイング式ステップ運動を行うことが可能となる。
また、ステップ板はダンパーに合わせてステップ運動の過程における力に対する反発効果を提供することが可能であり、且つステップ板はメインスイングアーム及びサブスイングアームによって底台の上にピン結合されてなり、前記メインスイングアーム及びサブスイングアームが同時にステップ板に支える効果を提供することにより、ステップ板が踏まれた時にアーチ型の軌道に沿って上昇すると高位置となり、さらに下降すると低位置となるようにスイングして移動する。
前述の往復運動の動作の軌道は公知の単調な上、下往復式の足踏み式運動器具とは異なり、使用者により人体の自然な歩行状態に適合した運動の方法を提供することが出来るため、運動による怪我の可能性を減少し、運動の楽しみを増加させ、使用者に対してステップ運動に対する興味を高めることが可能となる。
加えて、安全性を高めるために、底台の先端に上に向って延伸してなるハンドルを設けることにより、
使用者がうっかり平衡感覚を失い、転び落ちる等による運動時における予想外の怪我の発生を回避するために、前記ハンドルは使用者が運動時において身体を支える効果を提供することが出来る。
【考案を実施するための最良の形態】
【０００７】
本考案の好適な足踏み式運動器具のスイング式ステップ板の構造を図面を参照して説明する。
図１、２に示すように、本考案の足踏み式運動器具のスイング式ステップ板の構造は、足踏み式運動器具本体１によって構成され、
該足踏み式運動器具本体１は、底台１０及び底台１０の両側にピン結合されてなるステップ板２０を備え、
該底台１０の先端には、左右二つの支柱部１１が設けてあり、また底台１０の末端には支柱１２が設けられ、
該支柱部１２及び支柱１１によって底台１０を安定させることにより、使用者が足踏み式運動器具本体１を踏んで使用する時に引っくり返らないようにする。
前記底台１０と支柱部１１との間には上に向って延長された筒状の直立柱１３があり、
該直立柱１３内には表示ユニット１３１が埋設されて、使用者に対して現在までの運動による効果である、カロリーの消費量やステップの回数などの情報を表示して提供する。さらに、直立柱１３の中間には水平に回動する連動ポスト１３２がピン結合されてなり、
該連動ポスト１３２は、両側のステップ板２０を相互に連動させる機構であって、片側のステップ板２０が踏み込まれると他の側のステップ板２０を動かして、元の位置に戻す作用を果たす。
前記表示ユニット１３１及び連動ポスト１３２の原理は既知のものであり、且つ本考案の目的ではないため、多くを記述しない。
直立柱１３の下方には第一ピン孔１４が、さらに底台１０の直立柱１３近傍に第二ピン孔１５が設けてあり、
該第一ピン孔１４と第二ピン孔１５は、ステップ板２０をそれぞれ直立柱及び底台にピン結合し、さらに底台１０末端側の支柱部１２上にはそれぞれダンパー１６がピン結合されてなり、
該ダンパー１６は、本考案の実施例において油圧シリンダーを備えたバー構造として示され、ダンパー１６はステップ板２０が踏み込まれたときに反発力が作用する効果を提供する。
前記二つのステップ板２０は、底台１０の両側に対応して設置されて、メインスイングアーム２１及びサブスイングアーム２２のそれぞれ一端にピン結合される。
該メインスイングアーム２１の一端は、上記のようにステップ板２０の先端にピン結合されると共に他端は、底台１０の前記第一ピン孔１４にピン結合され。また、メインスイングアーム２１の一方の側面には前記連動ポスト１３２の突出端に対応する切欠き部２１２が形成され、固定部品２１１によって連動バー１３２を切欠き部２１２内に定位させることにより、メインスイングアーム２１と連動バー１３２が連動するようにする。
前記サブスウイングアーム２２の一端は、ステップ板２０のほぼ中間の位置においてピン結合され、他端は底台１０の中の第二ピン孔１５にピン結合され、
上記のメインスイングアームと共に平行リンク機構を構成し、且つサブスイングアーム２２の中間位置にはダンパー１６がピン結合されて、これによりステップ板２０が踏み込まれたときに反発力を与えて、フィットネス運動の効果を発揮する。
本考案は、組み立ての際、予め二つのダンパー１６を別々に底台１０末端の支柱１２の両側にピン結合させ、さらに軸ピン２３によってメインスイングアーム２１の一端をステップ板２０の先端にピン結合し、軸ピン２３によってサブスイングアーム２２をステップ板２０の中間位置にピン結合させ、再びサブスイングアーム２２の一端とダンパー１６をピン結合させる。また、連動バー１３２をメインスイングアーム２１の切欠き部２１２内に入れて、さらにまた固定部品２１１によって連動バー１３２に間隔を空けて固定することにより、連動バー１３２とメインスイングアーム２１が連動するようにさせ、最後に軸ピンによってメインスイングアーム２１とサブスイングアーム２２をそれそれ別に底台１０の第一ピン孔１４と第二ピン孔１５にピン結合することにより組み立てを完成させる。
【０００８】
図３及び図４に示すように、本考案を使用する際には、前記ステップ板２０が踏み付けられると、メインスイングアーム２１及びサブスイングアーム２２のピン結合の制御を受けて、アーチ状の軌道を描いて前部は上を向き、後部は下に向って移動する。同時に、前記ステップ板２０が移動する過程においてメインスイングアーム２１は、連動バー１３２によって、さらにもう一方のステップ板２０とは反対の方向に向って移動する。そのため、両側のステップ板２０は使用者の両足の交互の踏み込みに合わせることが可能となり、往復のフィットネス運動の効果に到達することが出来、且つステップ板２０がステップ運動を受ける過程で前部が上を向き、さらにアーチ型によって後部が下に向って移動するといったようなステップの過程は、より人体の自然な歩行時の動作に近づき、且つ変化を具える。
【０００９】
図３に示すように、外側のステップ板２０はその移動位置の前高後低のより高い位置において踏み込まれることが出来、前記外側（図において手前側）のステップ板２０が踏み込みを受けた後に、図４に示すように外側のステップ板２０は同時に後方に向かい、さらに下に移動する。またメインスイングアーム２１によって連動バー１３２を引き、さらに連動バー１３２によって内側のステップ板２０が前上方に向って位置を移動し、且つ外側のステップ板が後下に移動すると同時に、前記内側のステップ板２０は前上方のより高い位置に移動する。この時、使用者は再び位置がより高い内側のステップ板２０を踏むことが可能となる。
前記ステップ板２０はより高い位置にあり、踏み込みを受けることにより後部が下方に移動してなる過程において、前記サブスイングアーム２２はダンパー１６の反発力に対抗してダンパー１６を圧縮させる必要があり、これによってダンパー１６に反発力を作用させ、足踏み式運動器具本体１の往復運動の効果に達する。
【００１０】
図５に示すように、本考案の足踏み式運動器具のスイング式ステップ板２０の構造の第二の実施例であり、また主な部品は第一の実施例と同じであるため、ここでは説明を省く。
図示の構造とすることにより、本考案の足踏み式運動器具のスイング式ステップ板２０は使用者に対しより一層安全で、安定した運動の環境を提供することが出来る。
底台１０の先端に位置する直立柱１３を上に向って延長して直立柱１３の上端にハンドル１７を増設することにより、ハンドル１７は使用者が運動時に身体を支える手摺として提供することが可能であり、使用者がうっかり平衡感覚を失うことにより、転落等といったような運動による意外な怪我を回避することが出来る。
【００１１】
本考案では、好適な実施例を前述の通り開示したが、これらは決して本考案に限定するものでなく、当該技術を熟知する者ならだれでも、本考案の精神と領域を脱しない範囲内で各種の変動や潤色を加えることが出来、従って本考案の保護範囲は実用新案請求の範囲で指定した内容を基準とする。
【図面の簡単な説明】
【００１２】
【図１】本考案の足踏み式運動器具のスイング式ステップ板の構造の立体斜視指示図である。
【図２】本考案の足踏み式運動器具のスイング式ステップ板の構造の外観指示図である。
【図３】本考案の足踏み式運動器具のスイング式ステップ板の構造の操作過程の（右側ステップ板の上昇時の）参考図である。
【図４】本考案の足踏み式運動器具のスイング式ステップ板の構造の操作過程の（右側ステップ板の下降時の）参考図である。
【図５】本考案の第二の実施例の外観の立体指示図である。
【符号の説明】
【００１３】
１    足踏み式運動器具本体
１０    底台
１１    支柱部
１２    支柱
１３    直立柱
１３１  表示ユニット
１３２  連動バー
１４    第一ピン孔
１５    第二ピン孔
１６    ダンパー
１７    ハンドル
２０    ステップ板
２１    メインスイングアーム
２１１  固定部品
２１２  切欠き部
２２    サブスイングアーム
２３    軸ピン
【図１】
0003122707.tif 000003
【図２】
0003122707.tif 000004
【図３】
0003122707.tif 000005
【図４】
0003122707.tif 000006
【図５】
0003122707.tif 000007